(57)【要約】  ガス生成装置（１０）が提供される。該ガス生成装置（１０）はプロペラントクッションを有し、それらに対してバイアスをかけることによりプロペラントタブレットまたは粒（２８ｂ）の動きを防止する。さらに、該クッション（３５）は乾燥剤物質から構成され、それにより湿分を除去し、プロペラント（２８ｂ）による湿分の吸収を防止する。したがって、破壊されたプロペラントおよび／またはプロペラント内の湿分のような変動が最低限にされるかまたは取り除かれ、それによりインフレーター性能の再現性が向上される。
2008534268.tif 000002
【特許請求の範囲】
【請求項１】
第１の端と第２の端を有するハウジング；
該ハウジング内に収容され、ガス生成装置の活性化に際して点火可能なガス生成物質；および
該ガス生成物質と物理的な連絡を有するガス生成物質リテイナーを含むガス生成装置であって、
該ガス生成物質リテイナーは該ガス生成物質に対してバイアスをかけ、ガス生成物質の動きを制限し、該リテイナーは乾燥剤物質から構成され、それによりハウジング内の湿分を減少させる、ガス生成装置。
【請求項２】
請求項１記載のガス生成装置を含むガス生成システム。
【請求項３】
請求項１記載のガス生成装置を含む乗り物乗員保護システム。
【請求項４】
該ガス生成物質リテイナーがシリコーンおよび乾燥剤物質から形成される、請求項１記載のガス生成装置。
【請求項５】
該ガス生成物質リテイナーがシリコーン並びに、ゼオライト、酸化カルシウム、硫酸カルシウムおよびそれらの混合物から選択される乾燥剤物質から形成される、請求項１記載のガス生成装置。
【請求項６】
該ガス生成物質リテイナーがシリコーンおよびゼオライトから形成され、シリコーン対ゼオライトが重量パーセント比率で１０／９０から９０／１０で提供される、請求項１記載のガス生成装置。
【請求項７】
該ガス生成物質リテイナーがシリコーンおよびゼオライトから形成され、シリコーン対ゼオライトが重量パーセント比率で２０／８０から５０／５０で提供される、請求項１記載のガス生成装置。
【発明の詳細な説明】
【技術分野】
【０００１】
関連出願の相互参照
本出願は、２００５年３月３１日出願の米国出願番号６０／６６６，９６５の利益を要求する。
【０００２】
技術分野
本発明は、膨張可能な拘束装置のための火工品のガス生成装置に関する。より具体的にはプロペラントベット内のプロペラント粒および／またはタブレットの破砕を防止するために、プロペラントベットに対する抵抗にバイアスをかけるために、プロペラントクッションを有するガス生成装置に関する。
【０００３】
発明の背景
膨張可能な拘束システムあるいは「エアバッグ」システムは多くの新しい乗り物において標準的な物になった。これらのシステムは、自動車の安全性への著しい寄与をした。しかし、任意の標準機能へ追加されるので、それらはほとんどの乗り物において製造時の複雑さおよび重量を増し、コストを増加させる。したがって、これらの課題に取り組む技術的進歩は、産業に歓迎される。特に多くの乗員拘束システムにおいて使用されるガス生成装置またはインフレータは、最も重く、最も複雑な要素である傾向がある。したがって、最適の機能を保持しつつ、エアバッグインフレータの設計および製造を単純化することは、長い間自動車のエンジニアのゴールであった。
【０００４】
典型的なインフレータは細長い金属のボディを有して構成される。多くのインフレータは、組み合わされるエアバッグのための膨張ガスを生成するために火工品のガス生成物質化合物を利用するので、インフレータ構造は丈夫にする必要があり、そのようなインフレータは相応して重くなる。一般的になりつつある有用なインフレータのスタイルは、複数の、選択的に活性化されるガス生成物質チャージを使用する。そのようなシステムでは、インフレータボディ内に配置された複数のプロペラントベッドは同時にまたは連続的に点火されることができる。ある乗り物および乗員パラメーターは、衝突の際に両方のプロペラントベッドを点火することを正当化することがある。他のシナリオでは、プロペラントチャージの１つのみが点火され、または２つの点火の間に遅れを設けてプロペラントチャージを順次点火することにより最適に解決されることがある。他方を点火する間に、１つのチャージが同期して点火されることを回避するために、一般に流体的にコンバスションチャンバーを分離しなければならない。その内部の火工品の燃焼によって生成されるインフレータへの比較的大きな力は、内部分割、およびさらに頑丈にするために流体的にチャージを分離するインフレータのさらなる構造部材を要求し、これはインフレータの重量をさらに大きくする。
【０００５】
様々なスキームが、頑丈な、内部が分割された多重チャンバーインフレータの構築のために開発された。１つのアプローチは、インフレータの内部にパーティションを挿入し、ついでインフレータボディをクリンピングまたはロール成形してパーティションを保持することを含む。このアプローチは、有効であることが示された。しかし、多くの状況では、クリンピングおよび／またはロール成形プロセスに耐えるように、より重厚な／厚いインフレータボディが使用されなければならない。そのようなインフレータボディはかなり重くなりえる。また、製造工程は内部のパーティションをしっかりと取り付けられるのに必要な工程を与えられてより複雑になる。
【０００６】
さらに別の課題はガス生成装置の性能の再現性である。プロペラントスプリングまたはクッションがプロペラントの破砕を防ぐために使用される。それにより比較的一定な燃焼のプロペラント表面積を維持する。さらに、ある種のプロペラントは吸湿性の場合があり、湿分および／または水の吸収が期待される燃焼特性を妨害することがあり、したがって、衝突の際に組み合わされるエアバッグクッションの性能の変化に帰着することがある。プロペラントの破砕を防ぐのに役立っても、プロペラントスプリングまたはクッションは生産の複雑さおよびコスト、および全体のインフレータの重量を増す。
【０００７】
本発明の要約
本発明の目的は、プロペラントタブレットまたは粒に対してバイアスをかけることによってプロペラントタブレットまたは粒の動きを防ぐプロペラントクッションを有するガス生成装置を提供することである。更に、クッションは乾燥剤物質から形成され、それにより湿気を除去し、プロペラントが湿気を吸収することを防止する。
【０００８】
本発明のさらなる目的にしたがって、膨張可能な拘束システム内の乾燥剤物質から形成される軽量のプロペラントクッションを有する例示的なインフレータが提供される。例示的なインフレータは、第１および第２の端、および複数の膨張開口部を有する細長いインフレータボディを好ましくは有する。インフレータボディは、第１のプロペラントチャージが配置される第１のコンバスションチャンバーを画定する。パーティションアセンブリーは、インフレータボディ内で入れ子にされ、第２の端の近くに配置され、該パーティションは第２のコンバスションチャンバーを画定し、その内部に第２のプロペラントチャージが配置される。例示的なインフレータは、さらに第１および第２のイニシエーターを含む。このイニシエーターは、それぞれ第１および第２のプロペラントチャージに作動可能に組み合わされる。イニシエーターはプロペラントチャージに点火するのに選択的に作動可能であり、それにより、第１のチャンバーを経由して膨張可能な拘束クッションに膨張ガスを供給する。
【０００９】
好ましい実施態様の説明
図１を参照する。本発明の実施態様による例示的なガス生成装置またはインフレータ１０が示される。インフレータ１０は自動車中の膨張可能な拘束システムでの使用のために設計され、公知のエアバッグクッションの膨張のために膨張ガスを供給し、その機能は公知である。インフレータ１０は本明細書に記載される、２つのプロペラントチャージを利用する、それは個別のコンバスションチャンバー内で点火され、共通のプレナム２１を介して膨張ガスを排出する。例示的なインフレータ１０はそれぞれのプロペラントチャージに点火するためにさらに別々に作動可能なイニシエーターを提供する。これはインフレータの利用可能な作動のスキームに重要な変化を与える。たとえば、組み合わされるエアバッグの最適な展開に応じて、２つのチャージの順次の連続する点火が可能である。インフレータ１０は、助手席側エアバッグシステムで最も大きな有用性を見出すだろう。しかしながら、本発明の範囲を離れずに、他の用途での使用も可能である。本発明の要素はすべて、容易に、商業上利用可能な公知の物質から、公知のプロセスによって作られる。
【００１０】
インフレータ１０は細長い圧力容器またはインフレータボディ１１を有し、好ましくは鋼製の中空のシリンダーを含んでいる。インフレータボディ１１は、第１の端１５および第２の端１７によって特徴づけられ、インフレータボディの外部とプレナム２１の間の流体連絡を許容する複数のインフレーション開口部４０を画定する。第１の端クロージャー１３がインフレータボディ１１の第１の端１５に配置され、好ましくはインフレータボディとともに流体シールを作成する。第２の端クロージャー３４が第２の端１７に配置され、好ましくはインフレータボディ１１とともに流体シールを作成する。端クロージャー１３および３４は好ましくは金属である。しかし、それらはプラスチック、セラミックまたは複合材料のような別の適当な物質から作られることができる。第１の端１５および第２の端１７は、好ましくは内側にクリンプされ第１および第２のクロージャー１３および３４を所定の場所に保持する。しかし、たとえば溶接、またはインフレータボディ１１およびそれぞれのクロージャー上のかみ合いねじのような他の適当な方法が使用されることもできる。さらに、ゴムＯリングをクロージャー１３および３４のまわりにのスナップフィットさせ、インフレータボディ１１とシールを作り、またはシールを向上させることができる。
【００１１】
インフレータ１０は第１のコンバスションチャンバー２５を含み、その内部に所定量のガス生成物質または第１のプロペラントチャージ２８が配置される。好ましい実施態様では、チャンバ２５はインフレータボディ１１の内部の有意の割合を占め、インフレータボディ１１の長さ方向の壁によって一部が画定され、第１の端クロージャー１３によって一部が画定される。プレナム２１はインフレータボディ１１の領域であり、それを通って膨張ガスが開口４０へ通過する。したがって、チャンバ２５およびプレナム２１は少なくとも、部分的に空間的に同一の広がりを有する。別の言い方をすれば、プレナム２１は、インフレータボディ１１の内部の中央の領域を占めるチャンバ２５の部分として概略的に定義されることができる。「少なくとも、部分的に空間的に同一の広がりを有する」とのフレーズは、本明細書に記述されるように、チャンバ２５がホイル、バーストシムなどによりさらに分割された設計、並びにチャンバ２５がそのような構成によって中断されない設計を含むものと解されるべきである。第１の端クロージャー１３は円筒状の拡張部１６を好ましく含み、その内部に穿孔されたディスク１８が配置されたサブチャンバ２５ａおよび２５ｂに、チャンバ２５を分割する。イニシエータアセンブリ１２は、公知の点火装置または爆管を好ましくは含み、第１の端１５に配置され、好ましくは第１の端クロージャー１３にマウントされ、チャンバ２５内の組成物に点火することができるようにする。好ましくは従来の点火装置または爆管を含む第二のイニシエータアセンブリー９は、第二の端１７に配置される。プロペラントチャージ２８は公知の任意の適切なガス生成組成物であることができ、好ましくは硝酸アンモニウムのような非アジ化組成物である。非制限的な例示配合物としては米国特許番号５，８７２，３２９、５，７５６，９２９および５，３８６，７７５に記載されるものがあげられる。好ましい実施態様では、プロペラントチャージ２８は、タブレット２８ａおよびウェハ２８ｂ形式の両方で提供されることができる。それらの両方は図１の中で例証される。タブレット２８ａおよびウェハ２８ｂは異なる組成であることができるが、好ましくは商業的に利用可能な異なる形態の同じ物質である。好ましい実施態様では、リテイナーディスク３２はウェハ２８ｂとタブレット２８ａを分ける。ディスク３２は比較的多孔質な材料から作られ、タブレット２８ａの点火からのフレームフロントまたは熱がウェハ２８ｂに点火できるようにすることができる。またはそれは、タブレット２８ａの燃焼からの熱対流によってウェハ２８ｂを点火することができる公知の物質から作られることができる。所定量のブースタープロペラント１４が、サブチャンバ２５ａ内に好ましくは置かれる。また、そのプロペラントは公知の方法により点火可能であり、第１のプロペラント  チャージ２８ａおよび２８ｂに点火し、その燃焼特性を向上させる。
【００１２】
本発明によれば、クッション３３は、プロペラントタブレット２８ｂとキャップ２９の間に配置され、それによって、タブレット２８ｂの破砕を禁じる。本発明によればさらに、クッション３３は、シリコーン、および乾燥剤、たとえば、合成ゼオライト、酸化カルシウムおよび／または硫酸カルシウムを含む組成物から形成される。クッション３３の組成は、１０／９０〜９０／１０の範囲のシリコーン対乾燥剤の比率を有し、より好ましくは２０／８０〜５０／５０の範囲のシリコーン対乾燥剤の比率を有する。クッション３３もインフレータ１０内の任意の場所に配置することができ、必要な場所には弾性の支持体を提供することができる。従って、クッション３３の形状は示された構造に制限されない。別の利点としては、クッションはさらに他の不適当なガスを吸収し、それによりガスジェネレータが活性化した際のガスの流出物の質を改善する。別の利点は、シリコーンマトリックス内に混合されることにより、乾燥剤の吸着が遅くなるということである。それによって、ガス生成装置のアセンブリー中における湿気の過剰な吸着を防ぐ。別の利点は、例えば、不適当なガスの吸着が、二酸化塩素のようなガスの過剰な蓄積により生ずる主ガス生成物質の自己触媒分解が防止されるということである。さらなる利点としては、クッションは典型的なワイヤーメッシュ材料ではなく軽量の素材から作られ、それにより組み合わされるガス生成装置１０あるいはガス生成システム１０の全重量を低減することである。
【００１３】
クッション３３は、たとえば、Ｊｏｈｎｓｏｎ  Ｍａｔｔｈｅｙ、ｗｗｗ．ｊｍｇｐｔ．ｃｏｍまたはＧＲＡＣＥ  Ｄａｖｉｓｏｎ、ｗｗｗ．ｇｒａｃｅｄａｖｉｓｏｎ．ｃｏｍのような会社によって提供される、所望の量の乾燥剤、たとえば合成ゼオライトを所望の量の未硬化シリコーンと混合することにより形成することができる。
他の乾燥剤は、アルドリッチまたはフィッシャーのような既知のサプライヤーによって提供されることができる。ゼオライトについては、１０７℃で４００時間での、熱エージングにおいて良好な結果を示すという観点から特に望ましいことが見いだされた。その後、シリコーンは、本質的に均一な混合物となるまで最終的に混合され、またメーカー指示にしたがって硬化される。シリコーンは容易に利用可能であり、例えば日本の信越化学株式会社によって提供される。
【００１４】
分割アセンブリー２６は第２の端１７の近傍に配置され、好ましくは実質的に円筒状のベースメンバー２７およびキャップ２９を含む。ベースメンバー２７およびキャップ２９は第二のコンバスションチャンバー３５を画定し、少なくとも部分的に第二の量のプロペラント３８を中に含み、好ましくはタブレットおよびウェハの両方の形態のものを含む。１つの好ましい実施態様においては、ベースメンバー２７および第二の端クロージャー３４は、好ましい実施態様では同じ部品であることができるが、多くの別々の取り付けられた部品が使用されることもできる。好ましい実施態様では、インフレータボディ１１から構造上独立して分割アセンブリー２６が形成される。分割アセンブリー２６は、インフレータボディ１１の長さ方向の側壁と物理的な取付部分のない独立した部品であることができる。インフレータ１０のアセンブリー中に、分割アセンブリー２６はインフレータボディ１１中の位置に滑り込まされる。また、第二の端１７は内側にクリンプされ、アセンブリー２６をその内部にしっかりと保持する。したがって、第二のコンバスションチャンバー３５を画定するコンポーネントを組み合わせるか、またはしっかりと取り付けるために、第二の端クロージャー３４をしっかりと保持すること以外には何の修正もインフレータボディ１１になされない。
【００１５】
キャップ２９は好ましくは複数の開口３０を含み、これは第二のチャンバ３５をプレナム２１、並びに第１のチャンバ２５と接続する。なぜなら、プレナム２１およびチャンバ２５は流体的に接続され、部分的に空間的に同一の広がりを持つからである。好ましい実施態様では、開口３０を横切ってホイルまたは爆発シム（図示されない）が配置され、２つのチャンバ間の流体連絡を阻む。しかしながら、ホイルまたは爆発シムが、チャンバ２５内のプロペラントの燃焼の間に、内側方向、すなわち第２の端１７の方向に破裂しないように配置および／または製造されることが認識されるべきである。第二のチャンバ３５内のプロペラントの燃焼は、一方、ホイルまたは爆発シムの外側方向への破裂を可能にし、チャンバ３５内の燃焼生成物がプレナム２１／第１のチャンバ２５へ流れ出て、それによりインフレータボディ１１から排出されることを可能にする。好ましいホイルまたは爆発シム、およびそれらをマウントする方法はすべて、当該技術分野において公知である。第１および第二のチャンバ２５および３５を流体的に分離することによって、本明細書に記述されるように、チャンバ２５内のプロペラントの燃焼の間の、チャンバ３５内のプロペラントの同期した点火を回避することができる。ベースメンバー２７の外側直径は、好ましくはインフレータボディ１１の内側直径と実質的に同じにされ、ベースメンバー２７がその内部に入れ子にされる、すなわち、比較的ぴったりとはまるようにされる。第二の端クロージャー３４およびインフレータボディ１１の両方は、好ましくは本質的に円筒状であるので、２つのコンポーネントは好ましくは軸方向に並べられる。１つ以上の自己発火タブレット５０がインフレータ１０内に置かれ、当該技術分野において公知の方法で、外部から加熱された際にガス生成物質を点火することができる。
【００１６】
１つの実施態様において、ウェハ２８ｂは、プレナム２１中に積み重ねて配置されることができる。再び、クッション３３はスタック２８ｂに隣接して配置され、２８ｂの第１のスタック全体に対して、第１の端１５の方向にバイアスをかける。ついでウェハ２８ｂは、好ましくはディスク３２に対して、タブレット２８ａに向けてバイアスをかけ、タブレット２８ａが押されるのを防いで、インフレータが長い間使用されていない間にタブレット２８ａが機械的に劣化されることを回避するのを支援する。
【００１７】
本明細書に記述されたインフレータ１０は、用途に応じた設計の必要に応じて変更されることができる。しかしながら、本発明にかかるクッションまたはプロペラントレストレイント３３は、任意のインフレータ設計の中で提供され、少なくとも１つのプロペラントに対してバイアスをかけ、たとえば金属のクッションによって形式的に実現されていたようなクッション効果を提供する。
【００１８】
典型的な膨張可能な拘束システム設計では、インフレータ１０は、クラッシュセンサー（多くの公知の適切なタイプがある）を含む電気的な活性化システムに接続される。さらに、様々なセンサーシステムは、座席重量センサー、乗客検出システムなどをはじめとする乗り物の電子機器に組み入れられることができる。典型的な展開シナリオの間、衝撃あるいは突然の乗り物の減速中に、搭載された乗り物コンピューターからインフレータ１０へ活性化信号が送られる。信号は、インフレータ１０内に収容されたイニシエータアセンブリーのどちらかあるいは両方に送られることができる。チャンバ２５が好ましくはより多量の主なチャージを含んでいるので、典型的には、活性化信号は、第１のチャンバ２５を作動するように組み合わされたイニシエータアセンブリーに最初に向けられる。例えばより多くの乗客がいる特定のシナリオにおいて、あるいは乗客が乗り物の中の正常な着席した位置にいない場合、両方のプロペラント  チャージを同時に活性化することが望ましいことがある。他のシナリオは異なる活性化スキームを要求することがある。例えば、ある条件では、最初のプロペラント  チャージだけを燃焼することが望ましく、または連続して、２つの事象の間に変化する時間遅れを有して、両方のチャージを燃焼することが望ましい場合がある。一旦電気的な活性化信号が、第１のチャンバ２５に組み合わされたイニシエータに送られれば、サブチャンバ２５ａの中のブースタープロペラント１４の燃焼が始められる。ブースター１４からのフレームフロントおよび／または熱い燃焼ガスは、ディスク１８を横断し、チャンバ２５ｂの中のプロペラントタブレット２８ａの燃焼を開始する。タブレット２８ａの燃焼は膨張ガスを生成し、これは急速にインフレーション開口４０から外に流れ出て、組み合わされたエアバッグへの充填を開始する。円筒状の金属メッシュフィルタ１６が、好ましくは、インフレータボディ１１内に配置され、その内部の化合物の燃焼により生じたスラッグをろ過し、また膨張ガスの温度を低下させるためのヒートシンクとして作用する。タブレット２８ａの燃焼はウェハ２８ｂの燃焼を開始し、継続した燃焼を提供し、プレナム２１および開口４０を介して、比較的一定したガスを組み合わされたエアバッグへ提供する。好ましくは、ウェハ２８ｂはタブレット２８ａと同じか又は類似する物質から作られる。所望であれば、電気的な活性化信号は第二のチャンバ３５を作動させるように組み合わされたイニシエータに送られる。第二のチャンバ３５はガス生成物質３８を含む。ガス生成物質３８は、好ましくはチャンバ２５内の組成物と類似する物質から作られる。チャンバ３５内のガスの迅速な生成は、その内部のガス圧力の急速な上昇を引き起こし、キャップ２９の開口３０をカバーするホイルまたはシム（示されない）を外側に破裂させる。ガスは、引き続いてプレナム２１および開口４０を介してインフレータ１０から放出される。チャンバ３５内のガス生成物質の活性化は、活性化信号が、チャンバ２５に作動可能に組み合わされたイニシエータアセンブリー１２に送信される前、送信中、または送信後に行われることができる。
【００１９】
両方のチャンバ２５および３５がプレナム２１を介して膨張ガスを放出するので、本発明は個別のプレナムが各コンバスションチャンバーのために使用される多くの公知の設計に対して異なる操作上の利点を備える。プレナム２１を介して両方のコンバスションチャンバー２５および３５から膨張ガスを放出することによって、コンバスションチャンバーが個別のプレナムを介して放出する従来の多重チャンバ設計と比較して、組み合わされるエアバッグの長さおよび幅の断面方向での膨張プロフィール特性が改善されることができる。さらに、インフレータボディ側壁から構造上独立した分割アセンブリーの使用は、クリンピングなしにインフレータを構成することを可能とし、またはインフレータボディそれ自体を他の方法で修正することなしに構成することを可能にする。さらに、インフレータ１０が第１のコンバスションチャンバーと空間的に同一の広がりを持つプレナムを利用するので、いずれも共通のプレナムから分割されるコンバスションチャンバーを利用する多重チャンバインフレータよりも、インフレータ１０は単純な設計となる。インフレータボディ１１は付属の内部分割を利用せず、したがって、分割のための付属品によって引き起こされる脆弱化を補うために強靱化する必要なく製造することができる。これらおよび他の利点は、製造コスト、製造時の複雑さ、インフレータのサイズおよび重量の低減である。
【００２０】
図２を参照する。上記の例示的なインフレーター１０は、エアバッグシステム２００内に組み込まれることができる。エアバッグシステム２００は少なくとも１つのエアバッグ２０２、および本発明のガス生成物質組成物１２を含むインフレータ１０を含み、該インフレータはエアバッグの内部と流体連絡可能にエアバッグ２０２と組み合わされる。エアバッグシステム２００は、衝突センサー２１０を含むか、またはこれと接続される。衝突センサー２１０は既知のクラッシュセンサーアルゴリズムを含み、衝突の場合に例えばエアバッグインフレーター１０の活性化によってエアバッグシステム２００の起動の信号を送る。
【００２１】
図２を参照する。エアバッグシステム２００は、安全ベルトアセンブリー１５０のような追加の要素を含む、より広範な、より包括的な乗り物乗員拘束システム１８０に組み入れられることができる。図２は、そのような拘束システムの１つの典型的な実施態様の概略図を示す。安全ベルトアセンブリー１５０は、安全ベルトハウジング１５２および、ハウジング１５２から伸びる安全ベルト１００を含む。安全ベルトリトラクタメカニズム１５４（例えば、ばね式のメカニズム）は、ベルトの端部分に連結されることができる。さらに、衝突の際にリトラクタメカニズムを始動させるために、プロペラント１２を含む安全ベルトプリテンショナー１５６がベルトリトラクターメカニズム１５４に連結されることができる。本発明の安全ベルト実施態様と共に使用されることができる典型的なシートベルトリトラクタメカニズムは、米国特許番号５，７４３，４８０、５，５５３，８０３、５，６６７，１６１、５，４５１，００８、４，５５８，８３２および４，５９７，５４６に開示されている。これらの特許は参照され、本明細書の一部として組み込まれる。本発明の安全ベルトの実施態様が組み合わされることができる典型的なプリテンショナーの例は、米国特許番号６，５０５，７９０および６，４１９，１７７に開示されている。これらの特許は参照され、本明細書の一部として組み込まれる。
【００２２】
安全ベルトアセンブリ１５０は、例えばプリテンショナーに組み入れられた火工品イグナイタ（図示せず）の起動によって、ベルトプリテンショナー１５６の起動の信号を発生する既知のクラッシュセンサーアルゴリズムを含む、衝突センサ１５８（例えば慣性センサあるいは加速度計）を含むか、またはこれと接続されることができる。先に参照され、本明細書の一部として組み込まれた米国特許番号６，５０５，７９０および６，４１９，１７７は、そのような方法で始動するプリテンショナーの例を提供する。
【００２３】
安全ベルトアセンブリ１５０、エアバッグシステム２００、およびより広範な乗り物乗員保護システム１８０が例示されるが、本発明により意図されるガス生成システムはこれらに限定されるものではない。
【００２４】
本発明の実施態様の先の記述が例示の目的だけのためにあり、本発明の範囲を何ら制限しないことはさらに理解されるだろう。そのため、ここに示された様々な構造操作上の特徴は、当該技術分野における当業者により、特許請求の範囲により規定される本発明の技術範囲を逸脱することなく多くの改良を行うことができる。本発明の他の態様および利点は図面および特許請求の範囲の記載から明らかであろう。
【図面の簡単な説明】
【００２５】
【図１】図１は、本発明の好ましい構成の実施態様によるインフレータの部分的な側面図である。
【図２】図２は、本発明の例示的なガス生成システム、乗り物乗員保護システムについての概要図である。
【図１】
2008534268.tif 000003
【図２】
2008534268.tif 000004
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
第１の端と第２の端を有するハウジング；
該ハウジング内に収容され、ガス生成装置の活性化に際して点火可能なガス生成物質；および
該ガス生成物質と物理的な接触を有するガス生成物質リテイナーを含むガス生成装置であって、
該ガス生成物質リテイナーは該ガス生成物質に対してバイアスをかけ、ガス生成物質の動きを制限し、該リテイナーは乾燥剤物質から構成され、それによりハウジング内の湿分を減少させる、ガス生成装置。
【請求項２】
請求項１記載のガス生成装置を含むガス生成システム。
【請求項３】
請求項１記載のガス生成装置を含む乗り物乗員保護システム。
【請求項４】
該ガス生成物質リテイナーがシリコーンおよび乾燥剤物質から形成される、請求項１記載のガス生成装置。
【請求項５】
該ガス生成物質リテイナーがシリコーン並びに、ゼオライト、酸化カルシウム、硫酸カルシウムおよびそれらの混合物から選択される乾燥剤物質から形成される、請求項１記載のガス生成装置。
【請求項６】
該ガス生成物質リテイナーがシリコーンおよびゼオライトから形成され、シリコーン対ゼオライトが重量パーセント比率で１０／９０から９０／１０で提供される、請求項１記載のガス生成装置。
【請求項７】
該ガス生成物質リテイナーがシリコーンおよびゼオライトから形成され、シリコーン対ゼオライトが重量パーセント比率で２０／８０から５０／５０で提供される、請求項１記載のガス生成装置。
【請求項８】
第１の端と第２の端を有するハウジング；
該ハウジング内に収容され、ガス生成装置の活性化に際して点火可能なガス生成物質；および
ガス生成物質に対してバイアスをかけ、ガス生成物質を衝撃から守る、乾燥剤物質から構成される弾性クッション；を含むガス生成装置。
【請求項９】
第１の端と第２の端を有するハウジング；
該ハウジング内に収容され、ガス生成装置の活性化に際して点火可能なガス生成物質；および
ガス生成物質と物理的な接触を有するガス吸収性物質から構成されるガス生成物質リテイナーであって、ガス生成物質の燃焼前にハウジング内に含まれるガスを吸収し、ガス生成物質の動きを制限する、ガス生成装置。
【国際調査報告】
2008534268.tif 000005